(57)【要約】      （修正有）【課題】より審美性に優れたトイレットペーパーを提供すること。また、製造に適し、かつ簡便に使用できるトイレットペーパーを提供すること。また、より清潔に使用することができるトイレットペーパーを提供すること。【解決手段】トイレットペーパー１は、所定の間隔で切取線２１が設けられたトイレットペーパー本体部２と、凸状部材３と、を備え、凸状部材３は、トイレットペーパー１を切取線２１にそって切り取ったときのトイレットペーパー本体部２の残部２２側に、切取線２１を横断するように設けられている。【選択図】図２
0003215264.tif 000002
【実用新案登録請求の範囲】
【請求項１】
所定の間隔で切取線が設けられたトイレットペーパー本体部と、
凸状部材と、
を備え、
前記凸状部材は、トイレットペーパー本体部を前記切取線にそって切り取ったときのトイレットペーパー本体部の残部側に、前記切取線を横断するように設けられていることを特徴とする、トイレットペーパー。
【請求項２】
前記凸状部材が、トイレットペーパー本体部の巻かれた状態の、前記トイレットペーパー本体部の裏面に設けられていることを特徴とする、請求項１に記載のトイレットペーパー。
【請求項３】
前記凸状部材が、前記切取線にそってトイレットペーパー本体部を切り取ったときのトイレットペーパー本体部の端部に設けられていることを特徴とする、請求項１又は２に記載のトイレットペーパー。
【請求項４】
前記凸状部材の少なくとも先端部分が三角形であることを特徴とする、請求項１〜３の何れか１項に記載のトイレットペーパー。
【請求項５】
前記凸状部材が、折りたたまれた紙材により形成されていることを特徴とする、請求項４に記載のトイレットペーパー。
【請求項６】
前記凸状部材が、正方形の対角線にそって２回折りたたまれた紙材により形成されていることを特徴とする、請求項５に記載のトイレットペーパー。
【考案の詳細な説明】
【技術分野】
【０００１】
本考案はトイレットペーパーに関する。
【背景技術】
【０００２】
先端部分が三角形状に折られたトイレットペーパーは、日本のホテルやオフィスなど様々な場所でみることができる。この先端部分が三角形状に折られたトイレットペーパーは、三角折りと呼ばれ、日本のホテルやオフィスなどでは『清掃の完了』の目印として用いられている。
【０００３】
また、次に使う人への気遣いから、トイレの使用者が先端部分を三角形状に折りたたむ行為も広く行われている。
【０００４】
しかしながら、トイレの使用者が先端部分を三角形状に折りたたむ行為は、不特定多数の人が使う場では不潔であると考えられていた（非特許文献１）。
一方で、三角形状の先端を有するトイレットペーパー自体は、その見栄えの良さから清楚な印象を与えるものである。
【０００５】
このような事情から、衛生面の良さを維持しつつ、三角形状の先端を有するトイレットペーパーを提供する技術が求められていた。
【０００６】
衛生面の良さを維持しつつも三角形状の先端を有するトイレットペーパーを提供する技術としては、以下のものが知られている。
【０００７】
特許文献１には、先端に肉厚の凸状部材を有し、後端部に切断用ミシン目を有するトイレットペーパー単体を複数備え、１のトイレットペーパー単体の後端縁を他のトイレットペーパー単体の状表面における凸状部材３の略後部に貼着したことを特徴とする、ロール式トイレットペーパーが開示されている。
【０００８】
また、特許文献２には、Ｖ字形のミシン目を有するトイレットペーパーが開示されている。
【０００９】
また、非特許文献２には、先端部の三角形状を自動で形成するトイレットペーパー三角折り装置が開示されている。
【先行技術文献】
【特許文献】
【００１０】
【特許文献１】実開昭６１−１５６５８６号公報
【特許文献２】特開２０１０−５７８７４号公報
【非特許文献】
【００１１】
【非特許文献１】「トイレの“三角折り”なぜ感染症のリスク」、［ｏｎｌｉｎｅ］、２０１７年６月１６日、Nippon Television Network Corporation、［平成２９年１２月１日検索］、インターネット〈ＵＲＬ：http://www.news24.jp/articles/2017/06/16/07364471.html〉
【非特許文献２】「日本すごい！トイレットペーパー三角折り装置が製品化」、［ｏｎｌｉｎｅ］、２０１５年１２月２１日、株式会社グレイプ、［平成２９年１２月１日検索］、インターネット〈ＵＲＬ：https://grapee.jp/124769〉
【考案の概要】
【考案が解決しようとする課題】
【００１２】
特許文献１に記載のロール式トイレットペーパーは、１のトイレットペーパー単体の後端縁を他のトイレットペーパー単体の状表面における凸状部材の略後部に貼着した形態であるため、凸状部材を備えるトイレットペーパーの製造に適した形態ではなかった。
また、特許文献１に記載のロール式トイレットペーパーは、凸状部材の形状の自由度が低いものであった。
【００１３】
また、特許文献２に記載のＶ字形のミシン目を有するトイレットペーパーは、切るときにミシン目にかかる力が均一ではないため、綺麗に破くことができない場合があった。
そして綺麗に破くことができないため、Ｖ字形の先端を形成することができず、審美性に欠けるものであった。
【００１４】
また、非特許文献２に記載のトイレットペーパー三角折り装置は、トイレットペーパーホルダそのものを取り換える必要があるため、小規模事業者や一般家庭には導入しにくいものであった。
【００１５】
このような状況に鑑みなされた本考案は、より審美性に優れたトイレットペーパーを提供することを課題とする。また、本考案は、製造に適し、かつ簡便に使用できるトイレットペーパーを提供することを課題とする。また、本考案の好ましい形態では、より清潔に使用することができるトイレットペーパーを提供することを課題とする。
【課題を解決するための手段】
【００１６】
上記課題を解決する本考案は、
所定の間隔で切取線が設けられたトイレットペーパー本体部と、
凸状部材と、
を備え、
前記凸状部材は、トイレットペーパーを前記切取線にそって切り取ったときのトイレットペーパー本体部の残部側に、前記切取線を横断するように設けられていることを特徴とする、トイレットペーパーである。
【００１７】
本考案のトイレットペーパーは、トイレットペーパーを切り取ったときに、トイレットペーパーの残部と共に凸状部材が自然に現れるため、より審美性に優れる。
また、本考案のトイレットペーパーは、凸状部材がトイレットペーパー本体部に設けられている構成であるため、既存の設備をそのまま利用し製造することができる。具体的には、トイレットペーパーの巻き込み工程の前のトイレットペーパー本体部に、凸状部材を設けることにより、簡便に製造することができる。
また、本考案のトイレットペーパーは、トイレットペーパーそのものが凸状部材を備える構成であることにより、既設のトイレットペーパーホルダを使用できるため、より簡便に使用することができる。
【００１８】
また、前記凸状部材は、トイレットペーパー本体部が巻かれた状態の、前記トイレットペーパー本体部の裏面に設けられていることが好ましい。
前記凸状部材が、トイレットペーパー本体部が巻かれた状態の、前記トイレットペーパー本体部の裏面に設けられているトイレットペーパーによれば、トイレの使用者が凸状部材に触れることなくトイレットペーパーを切り取ることができるため（図５  参照）、より清潔に使用することができる。
【００１９】
また、前記凸状部材は、前記切取線にそってトイレットペーパーを切り取ったときの、トイレットペーパー本体部の端部に設けられていることが好ましい。
このような形態のトイレットペーパーは、前記切取線にそってトイレットペーパーを切り取ったときに、前記凸状部材がより顕著に現れるため、より審美性に優れる。
【００２０】
また、前記凸状部材の少なくとも先端部分は、三角形であることが好ましい。
【００２１】
また、前記凸状部材は、折りたたまれた紙材により形成されていることが好ましい。
【００２２】
また、前記凸状部材は、正方形の対角線にそって２回折りたたまれた紙材により形成されていることが好ましい。
このような形態の凸状部材を備えるトイレットペーパーは、従来の手で折られた三角形が備える美観を表出するものであるため、より審美性に優れる。
【考案の効果】
【００２３】
本考案によれば、より審美性に優れたトイレットペーパーを提供することができる。また、本考案によれば、製造に適し、かつ簡便に使用できるトイレットペーパーを提供することができる。また、本考案の好ましい形態によれば、より清潔に使用することができるトイレットペーパーを提供することができる。
ことができる。
【図面の簡単な説明】
【００２４】
【図１】実施例のトイレットペーパー１の構成を示す参考図である。
【図２】実施例のトイレットペーパー１の裏面を現す図である。
【図３】実施例の凸状部材３の構成を示す参考図である。
【図４】実施例のトイレットペーパーを使用したときの状態を示す参考図である。
【図５】実施例のトイレットペーパーの使用方法を示す参考図である。
【考案を実施するための形態】
【００２５】
以下、本実施例のトイレットペーパー１について説明するが、本考案の技術的範囲は実施例に限定されないことはいうまでもない。
【００２６】
本実施例のトイレットペーパー１は、所定の間隔で切取線２１が設けられたトイレットペーパー本体部２と、凸状部材３とを備える。
【００２７】
そして、凸状部材３は、トイレットペーパーを切取線２１にそって切り取ったときのトイレットペーパー本体部２の残部２２側に、切取線２１を横断するように設けられている（図１〜図２  参照）。
【００２８】
本実施例のトイレットペーパー１は、トイレットペーパー本体部２を切り取ったときに、トイレットペーパー本体部２の残部２２と共に凸状部材３が自然に現れるため、より審美性に優れる。
また、本実施例のトイレットペーパー１は、凸状部材３がトイレットペーパー本体部２に設けられている構成であるため、既存の設備をそのまま利用し製造することができる。
また、本実施例のトイレットペーパー１は、トイレットペーパー１そのものが凸状部材３を備える構成であることにより、既設のトイレットペーパーホルダ４を使用できるため、より簡便に使用することができる（図５  参照）。
【００２９】
また、図２に示すように、本実施例の凸状部材３は、トイレットペーパー本体部２が巻かれた状態の、トイレットペーパー本体部２の裏面に設けられている。
凸状部材３がトイレットペーパー本体部２の裏面に設けられていることで、使用者が凸状部材３を触れることなくトイレットペーパー本体部２を切り取ることができるため（図５  参照）、より衛生的である。
【００３０】
また、図２に示すように、本実施例の凸状部材３は、切取線２１にそってトイレットペーパー本体部２を切り取ったときの、トイレットペーパー本体部２の残部２２側端部に設けられている。
凸状部材３が切取線２１にそってトイレットペーパー本体部２を切り取ったときのトイレットペーパー本体部２の残部２２側端部に設けられていることで、切取線２１にそってトイレットペーパーを切り取ったときの凸状部材３がより顕著に現れるため、より審美性に優れる（図５  参照）。
【００３１】
また、図１に示すように、本実施例のトイレットペーパー１は、トイレットペーパー本体部２が備える全ての切取線２１ごとにそれぞれ凸状部材３が設けられている。ただし、必ずしもトイレットペーパー本体部２が備える全ての切取線２１近傍にそれぞれ凸状部材３が設けられている必要はなく、例えば、トイレットペーパー本体部２が備える５割以上、より好ましくは７割以上、さらに好ましくは９割以上の切取線２１近傍に凸状部材３が設けられている形態であっても良い。
【００３２】
なお、本実施例において凸状部材３は、接着剤を用いた接着により固定されている。接着剤を用いた接着により固定されているトイレットペーパー１は、より簡便に製造することができる。
ここで、凸状部材３の固定手段に特に制限はなく、例えば、縫製による固定、圧着による固定、溶融による固定等の手段をとることができる。
【００３３】
トイレットペーパー本体部２には、通常の製造方法により製造されるトイレットペーパーを用いることができる。
【００３４】
以下、図３を参照し、本実施例のトイレットペーパー本体部２に設けられた凸状部材３のさらに好ましい形態について説明する。
【００３５】
本実施例の凸状部材３は、正方形の紙材を対角線にそって２回折りたたむことにより形成された三角形状である。
ただし、凸状部材３は全体が三角形状である必要はなく、少なくとも先端部分が三角形であればよい。具体的には、凸状部材３は、トイレットペーパー本体部２への固定に用いられる固定部３１と、先端部分の舌片部３２を備える形態であることがより好ましい。
【００３６】
ここで固定部３１の幅は、トイレットペーパー本体部２の幅と略一致することが好ましい。固定部３１の幅がトイレットペーパー本体部２の幅と略一致することで、より強固に固定された凸状部材３を備えるトイレットペーパー１を提供することができる。
【００３７】
また、凸状部材３における三角形状の形成は、必ずしも正方形の紙材を対角線にそって２回折りたたむことによりなされる必要はなく、例えば、任意の形状の紙材を三角形状に折りたたむことにより形成される形態であっても良い。
【００３８】
また、凸状部材３の形状にも特に制限はなく、略正方形、略長方形、略台形、菱型等の略四角形、略円形等の何れであってもよい。
【００３９】
本実施例の凸状部材３の厚みは、トイレットペーパー本体部２の厚みに対し、４倍の厚みである。
【００４０】
ここで、凸状部材３の厚みの下限に特に制限はなく、トイレットペーパー本体部２の厚みに対し、好ましくは２倍以上、さらに好ましくは３倍以上であってもよい。
凸状部材３の厚みが下限以上であることで、次のトイレの使用者がトイレットペーパーを引き出しやすい。
【００４１】
また、凸状部材３の厚みの上限に特に制限はなく、トイレットペーパー本体部２の厚みに対し、好ましくは６倍以下、さらに好ましくは５倍以下であってもよい。
凸状部材３の厚みが上限以下であることで、トイレットペーパー１の全体形状が凸状部材３の厚みにより崩れることがない。
【００４２】
本実施例の凸状部材３の色は、トイレットペーパー本体部２と同じ色でもよく、相違する色であってもよい。
ここで、本実施例の凸状部材３の色がトイレットペーパー本体部２の色と相違する形態であることがより好ましい。これは、凸状部材３の色がトイレットペーパー本体部２の色と相違する形態であることで、トイレットペーパー本体部２の切取線２１の位置が、凸状部材３によって明確にわかるためである。
【００４３】
本実施例のトイレットペーパー１は、例えば、通常のトイレットペーパーの製造工程における、巻き込み工程前のトイレットペーパー本体部２に凸状部材３を設けることにより製造することができる（図２  参照）。
【産業上の利用可能性】
【００４４】
本考案は、トイレットペーパーに応用することができる。
【符号の説明】
【００４５】
１    トイレットペーパー
２    トイレットペーパー本体部
２１  切取線
２２  残部
２３  切取部
３    凸状部材
３１  固定部
３２  舌片部
４    トイレットペーパーホルダ
【図１】
0003215264.tif 000003
【図２】
0003215264.tif 000004
【図３】
0003215264.tif 000005
【図４】
0003215264.tif 000006
【図５】
0003215264.tif 000007